(57)【要約】【課題】触れるだけで位置検出を行なうことができ、接触するものの材質等を問わないものであって、低コストで、薄く、位置検出精度の高いタッチパネルを提供する。【解決手段】一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤ形状部には、前記第１の導電膜を形成している導電膜を一部除去することにより形成された導電膜除去領域が形成されていることを特徴とするタッチパネルを提供することにより上記課題を解決する。【選択図】  図５
2013225266.tif 000002
【特許請求の範囲】
【請求項１】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤ形状部には、前記第１の導電膜を形成している導電膜を一部除去することにより形成された導電膜除去領域が形成されていることを特徴とするタッチパネル。
【請求項２】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤ形状部接続部または、前記ダイヤ形状部接続部の近傍の前記ダイヤ形状部には、前記ダイヤ形状部の中央部分よりも導電性の高い高導電領域が形成されていることを特徴とするタッチパネル。
【請求項３】
前記ダイヤ形状部は、電圧を印加した際に、電位分布が略等間隔となるものであることを特徴とする請求項１または２に記載のタッチパネル。
【請求項４】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤパターンは複数形成されており、
各々の前記ダイヤパターンと外部接続基板とを接続するため、各々の前記ダイヤパターンに対応して各々配線が設けられており、
前記配線の長さは、略均一であることを特徴とするタッチパネル。
【請求項５】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤパターンは複数形成されており、
各々の前記ダイヤパターンと外部接続基板とを接続するため、各々の前記ダイヤパターンに対応して各々配線が設けられており、
複数の前記配線のうち、一の配線よりも他の配線は長く形成されており、前記他の配線は前記一の配線よりも幅が、一部または全部において広く形成されていることを特徴とするタッチパネル。
【請求項６】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤパターンは複数形成されており、
各々の前記ダイヤパターンと外部接続基板とを接続するため、各々の前記ダイヤパターンに対応して各々配線が設けられており、
複数の前記配線のうち、一の配線よりも他の配線は長く形成されており、前記他の配線は前記一の配線よりも厚さが、一部または全部において厚く形成されていることを特徴とするタッチパネル。
【請求項７】
各々の前記配線の抵抗値は略均一であることを特徴とする請求項４から６のいずれかに記載のタッチパネル。
【請求項８】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤパターンは複数形成されており、
各々の前記ダイヤパターンと外部接続基板とを接続するため、各々の前記ダイヤパターンに対応して各々配線が設けられており、
複数の前記配線のうち、一の配線よりも他の配線は長く形成されており、前記一の配線と前記一の配線に対応する前記ダイヤパターンと接触点の位置よりも、前記他の配線と前記他の配線に対応する前記ダイヤパターンと接触点の位置が、内側であることを特徴とするタッチパネル。
【請求項９】
各々の前記配線及び前記ダイヤパターンにおいて、
接触点において接続されている前記配線の抵抗と前記ダイヤパターンの抵抗との和に対する前記配線の抵抗の値は略一定であることを特徴とする請求項８に記載のタッチパネル。
【請求項１０】
一方の方向に長く形成されたダイヤパターンを複数有する第１の導電膜と、
前記第１の導電膜に対向して設置される第２の導電膜と、
を有し、
前記ダイヤパターンは、複数のダイヤ形状に形成されているダイヤ形状部の間がダイヤ形状部接続部により接続されているものであって、
前記ダイヤパターンは複数形成されており、
各々の前記ダイヤパターンと外部接続基板とを接続するため、各々の前記ダイヤパターンに対応して各々配線が設けられており、
前記ダイヤパターンと前記配線とが接触する前記配線における接触部の両端の端部は、前記ダイヤパターンの設けられている側に曲げられていることを特徴とするタッチパネル。
【請求項１１】
前記第１の導電膜と前記第２の導電膜とが接触することにより、接触位置の位置検出を行なうことができ、
前記第１の導電膜に流れる電荷を検出することにより、接触位置の位置検出を行なうことができるものであることを特徴とする請求項１から１０のいずれかに記載のタッチパネル。
【発明の詳細な説明】
【技術分野】
【０００１】
本発明は、タッチパネルに関する。
【背景技術】
【０００２】
タッチパネルは、ディスプレイに直接入力をすることが可能な入力デバイスであり、ディスプレイの前面に設置して使用される場合が多く、ディスプレイにより視覚的にとらえた情報に基づき、直接入力することができることから、様々な用途において用いられている。
【０００３】
このようなタッチパネルとしては、抵抗膜方式及び静電容量方式が広く知られている。抵抗膜方式のタッチパネルは、透明導電膜が形成された上部電極基板及び下部電極基板において、各々の透明導電膜同士が対向するように設置し、上部電極基板の一点に力を加えることにより各々の透明導電膜同士が接触し、力の加えられた位置の位置検出を行うことができるものである。
【０００４】
抵抗膜方式のタッチパネルは、４線式、５線式、ダイオード式に大別することができる。４線式は、上部電極基板又は下部電極基板のどちらか一方にＸ軸の電極が設けられており、他方にＹ軸の電極が設けられている（例えば、特許文献１）。また、５線式は、下部電極基板にＸ軸の電極及びＹ軸の電極がともに設けられており、上部電極基板は、電圧を検出するためのプローブとして機能するものである（例えば、特許文献２）。また、ダイオード式は、下部電極基板にダイオードが設けられている構造のものであり、電圧を印加するための２つの電極と、電位をモニタするための４つの電極とが設けられており、電圧を検出するためにプローブとして機能する上部電極基板に設けられた電極と併せて、電極が７つ形成されることから７線式とも呼ばれている（例えば、特許文献３）。
【０００５】
また、静電容量方式は、タッチパネルに指等が接近することによりタッチパネルの透明電極等に流れる電流を検出することにより位置検出がなされるものである。タッチパネルにおいては、静電容量方式と抵抗膜方式とは、異なる特徴を有するものであるため、抵抗膜方式のタッチパネルと静電容量方式のタッチパネルとを積層した構造のタッチパネルが開示されている（例えば、特許文献４、５）。
【先行技術文献】
【特許文献】
【０００６】
【特許文献１】特開２００４−２７２７２２号公報
【特許文献２】特開２００８−２９３１２９号公報
【特許文献３】特開２００５−１９６２８０号公報
【特許文献４】実用新案登録第３１３２１０６号公報
【特許文献５】実用新案登録第３１３９１９６号公報
【特許文献６】特開２００９−１１６８４９号公報
【発明の概要】
【発明が解決しようとする課題】
【０００７】
ところで、静電容量方式のタッチパネルは、静電容量結合による検出方式であるため、押下することなく触れるだけで位置検出を行なうことができるといった特徴を有しているが、絶縁体による接触では位置検出をすることができない。また、抵抗膜方式のタッチパネルでは、タッチパネルに接触するものの材質等は問わないといった特徴を有しているが、位置検出は上部抵抗膜となる透明導電膜と下部抵抗膜となる透明導電膜とが接触することにより行なわれるため、タッチパネルを所定の力で押下する必要がある。
【０００８】
これに対し、特許文献４及び５に記載されているものは、静電容量方式のタッチパネルと、抵抗膜方式のタッチパネルとを積層した構造のものであり、静電容量方式のタッチパネルと抵抗膜方式のタッチパネルとの双方の良い特徴を有している。しかしながら、このような構造のタッチパネルは、２種類のタッチパネルを積層しているため、厚さが厚くなるといった問題点や、高コストなものとなるといった問題点を有している。
【０００９】
本発明は、上記に鑑みてなされたものであり、静電容量方式と抵抗膜方式との特徴を有するものであって、薄くて、位置検出精度の高いタッチパネルを提供することを目的とするものである。
【課題を解決するための手段】
【００１０】
本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤ形状部には、前記第１の導電膜を形成している導電膜を一部除去することにより形成された導電膜除去領域が形成されていることを特徴とする。
【００１１】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤ形状部接続部または、前記ダイヤ形状部接続部の近傍の前記ダイヤ形状部には、前記ダイヤ形状部の中央部分よりも導電性の高い高導電領域が形成されていることを特徴とする。
【００１２】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤパターンは複数形成されており、各々の前記ダイヤパターンと外部接続基板とを接続するため、各々の前記ダイヤパターンに対応して各々配線が設けられており、前記配線の長さは、略均一であることを特徴とする。
【００１３】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤパターンは複数形成されており、各々の前記ダイヤパターンと外部接続基板とを接続するため、各々の前記ダイヤパターンに対応して各々配線が設けられており、複数の前記配線のうち、一の配線よりも他の配線は長く形成されており、前記他の配線は前記一の配線よりも幅が、一部または全部において広く形成されていることを特徴とする。
【００１４】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤパターンは複数形成されており、各々の前記ダイヤパターンと外部接続基板とを接続するため、各々の前記ダイヤパターンに対応して各々配線が設けられており、複数の前記配線のうち、一の配線よりも他の配線は長く形成されており、前記他の配線は前記一の配線よりも厚さが、一部または全部において厚く形成されていることを特徴とする。
【００１５】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤパターンは複数形成されており、各々の前記ダイヤパターンと外部接続基板とを接続するため、各々の前記ダイヤパターンに対応して各々配線が設けられており、複数の前記配線のうち、一の配線よりも他の配線は長く形成されており、前記一の配線と前記一の配線に対応する前記ダイヤパターンと接触点の位置よりも、前記他の配線と前記他の配線に対応する前記ダイヤパターンと接触点の位置が、内側であることを特徴とする。
【００１６】
また、本発明は、一方の方向に長く形成されたダイヤパターンを複数有する第１の導電膜と、前記第１の導電膜に対向して設置される第２の導電膜と、を有し、前記ダイヤパターンは、複数のダイヤ形状に形成されているダイヤ形状部の間がダイヤ形状部接続部により接続されているものであって、前記ダイヤパターンは複数形成されており、各々の前記ダイヤパターンと外部接続基板とを接続するため、各々の前記ダイヤパターンに対応して各々配線が設けられており、前記ダイヤパターンと前記配線とが接触する前記配線における接触部の両端の端部は、前記ダイヤパターンの設けられている側に曲げられていることを特徴とする。
【発明の効果】
【００１７】
本発明によれば、静電容量方式と抵抗膜方式との特徴を有するものであって、薄くて、位置検出精度の高いタッチパネルを提供することができる。
【図面の簡単な説明】
【００１８】
【図１】第１の実施の形態におけるタッチパネルを構造図
【図２】タッチパネルにおける第１の透明導電膜の説明図
【図３】透明導電膜における電位分布の説明図（１）
【図４】透明導電膜における電位分布の説明図（２）
【図５】第１の実施の形態におけるタッチパネルの説明図
【図６】図５における要部拡大図
【図７】第１の実施の形態における他のタッチパネルの説明図
【図８】図７における要部拡大図
【図９】第２の実施の形態におけるタッチパネルの説明図
【図１０】第２の実施の形態における他のタッチパネルの説明図（１）
【図１１】第２の実施の形態における他のタッチパネルの説明図（２）
【図１２】図１１における一点鎖線１１Ａ−１１Ｂにおいて切断した断面概要図
【図１３】配線における抵抗値を均一にするための説明図
【図１４】第２の実施の形態における他のタッチパネルの説明図（３）
【図１５】配線における抵抗値の比率を均一にするための説明図
【図１６】第１の透明導電膜と配線との接触部分の説明図
【図１７】第３の実施の形態における第１の透明導電膜と配線との接触部分の説明図
【発明を実施するための形態】
【００１９】
本発明を実施するための形態について、以下に説明する。尚、同じ部材等については、同一の符号を付して説明を省略する。
【００２０】
〔第１の実施の形態〕
第１の実施の形態におけるタッチパネルについて説明する。図１に示されるように、本実施の形態におけるタッチパネルは、第１の基板１１の一方の面に形成された第１の透明導電膜１０と、第２の基板２１の一方の面に形成された第２の透明導電膜２０を有しおり、第１の基板１１と第２の基板２１とは、第１の透明導電膜１０と第２の透明導電膜２０とが対向した状態で設置されている。これにより、本実施の形態におけるタッチパネルは、第１の透明導電膜１０を用いて静電容量方式による位置検出を行なうことができ、第１の透明導電膜１０と第２の透明導電膜２０とを用いて抵抗膜方式による位置検出を行なうことができる。
【００２１】
このように、静電容量方式による位置検出と抵抗膜方式による位置検出の双方を行なうことのできるタッチパネルにおいては、図２に示すように、第１の透明導電膜１０には、ダイヤパターン１２が形成されている。このようなダイヤパターン１２は、ダイヤ形状に形成されているダイヤ形状部１２ａが一列に配置されており、隣接する各々のダイヤ形状部１２ａ同士がダイヤ形状部接続部１２ｂにより接続されているものである。このように、第１の透明導電膜１０をダイヤパターン１２により形成することにより、第１の透明導電膜１０を用いて静電容量方式による位置検出を行なうことができる。尚、第１の透明導電膜１０と第２の透明導電膜２０とを用いて、抵抗膜方式による位置検出を高い精度で行なうため、ダイヤパターン１２に形成される隙間は、できるだけ狭く形成されている。
【００２２】
ところで、このダイヤパターン１２が形成されている第１の透明導電膜１０を抵抗膜方式に用いた場合、電圧と距離との関係が線形の関係とはならない。具体的には、図３（ａ）に示すように、第１の透明導電膜が同じ幅で形成されたパターン９１０により形成されている場合、例えば、このパターン９１０の両端の一方に５Ｖ、他方に０Ｖの電圧を印加すると、パターン９１０において、等間隔の電位分布が発生する。このように、等間隔の電位分布を発生させることができれば、電位と接触位置とが線形の関係にあるため、検出された電位に基づき、接触位置における精度の高い位置検出を容易に行なうことができる。
【００２３】
これに対し、図３（ｂ）に示されるように、第１の透明導電膜１０がダイヤパターン１２により形成されている場合、ダイヤパターン１２を形成しているダイヤ形状部１２ａの両側におけるダイヤ形状部接続部１２ｂの一方に５Ｖ、他方に０Ｖの電圧を印加すると、ダイヤ形状部接続部１２ｂやダイヤ形状部接続部１２ｂの近傍におけるダイヤ形状部１２ａと、ダイヤ形状部１２ａの中央部分とでは、電位分布の間隔が等間隔とはならない。従って、電位と接触位置とが線形の関係にはないため、検出された電位に基づき、容易に接触位置の位置検出を行なうことは困難である。よって、第１の透明導電膜１０にダイヤパターン１２が形成されている場合には、検出された電位に基づき、接触位置における精度の高い位置検出に行なうことは容易ではない。
【００２４】
このことを図４（ａ）に示されるようなダイヤ形状部１２ａに相当するダイヤ形状のパターン１２０に基づき、より詳細に説明する。図４（ａ）に示されるようなダイヤ形状のパターン１２０において、ダイヤ形状のパターン１２０の一方の角１２０ａから、一方の角１２０ａに対向する他方の角１２０ｂまでのダイヤ形状のパターン１２０における単位長さあたりの抵抗値は、図４（ｂ）における実線４Ａに示される。
【００２５】
実線４Ａで示されるように、ダイヤ形状のパターン１２０における単位長さあたりの抵抗値は、ダイヤ形状のパターン１２０の一方の角１２０ａ及び他方の角１２０ｂの近傍において高くなり、ダイヤ形状のパターン１２０の中央部分において低くなる。このため、ダイヤ形状のパターン１２０の一方の角１２０ａと他方の角１２０ｂとの間に電圧を印加した場合、ダイヤ形状のパターン１２０における位置によって電位分布の間隔が異なり、電位分布の間隔が等間隔とはならない。よって、精度の高い位置検出を容易に行なうためには、一点鎖線４Ｂに示されるように、単位長さあたりの抵抗値が均一であることが求められる。
【００２６】
本実施の形態におけるタッチパネルは、図５及び図６に示されるように、ダイヤ形状部１２ａの内部において、ダイヤ形状部１２ａ及びダイヤ形状部接続部１２ｂにおける電位分布が等間隔になるように、透明導電膜が除去された導電膜除去領域１３が形成されている構造のものである。これにより、第１の透明導電膜１０がダイヤパターン１２により形成されている場合であっても、電位分布を等間隔にすることができる。よって、この場合には、電位と接触位置とが線形の関係となるため、検出された電位に基づき、容易に接触位置の位置検出を正確に行なうことができる。尚、このような導電膜除去領域１３は、ダイヤパターン１２を形成する際に、同時にエッチングやレーザアブレーション等により透明導電膜を除去することにより形成することができる。また、図５は、この場合における第１の透明導電膜１０を示すものであり、図６は、図５に示される第１の透明導電膜１０におけるダイヤ形状部１２ａを示すものである。
【００２７】
また、本実施の形態におけるタッチパネルは、図７及び図８に示されるように、ダイヤ形状部接続部１２ｂやダイヤ形状部接続部１２ｂにおけるダイヤ形状部１２ａにおいて、ダイヤ形状部１２ａ及びダイヤ形状部接続部１２ｂにおける電位分布が等間隔になるように、高導電領域１４を形成した構造のものであってもよい。このように形成された高導電領域１４は、ダイヤ形状部１２ａの中央部分よりも導電性が高いため、第１の透明導電膜１０がダイヤパターン１２により形成されている場合であっても、電位分布を等間隔にすることができる。よって、この場合にも、電位と接触位置とが線形の関係となるため、検出された電位に基づき、容易に接触位置の位置検出を正確に行なうことができる。尚、高導電領域１４は、導電性の高い微粒子、例えば、金属や透明導電材料等の微粒子を塗布または印刷することにより形成することができる。また、図７は、この場合における第１の透明導電膜１０を示すものであり、図８は、図７に示される第１の透明導電膜１０におけるダイヤ形状部１２ａを示すものである。
【００２８】
〔第２の実施の形態〕
次に、第２の実施の形態について説明する。本実施の形態は、図１及び図２に示される構造のタッチパネルにおいて、ダイヤパターンの形成されている第１の透明導電膜１０に接続される配線に関するものである。具体的には、第１の透明導電膜１０はダイヤパターンにより形成されているため、複数のダイヤパターン列が形成される。このように形成されるダイヤパターン列においては、タッチパネルの一方の端部近傍に形成されるダイヤパターン列と他方の端部近傍に形成されるダイヤパターン列とは、形成される位置が異なるため、各々のダイヤパターン列に接続される配線の長さが異なる。このように配線の長さが異なると、一般的には、配線における抵抗値も異なるため、各々の配線に同じ電圧を印加した場合においても、配線における電圧降下が異なる。従って、この場合には、タッチパネルの一方の端部近傍におけるダイヤパターン列と他方の端部近傍におけるダイヤパターン列に印加される電圧が異なってしまい、タッチパネルにおいて検出される接触位置の位置検出の精度が低下してしまう。
【００２９】
このため、本実施の形態におけるタッチパネルでは、ダイヤパターンが形成されている第１の透明導電膜１０における複数のダイヤパターン列に接続される配線の抵抗が略均一等となるように形成した構造のものである。
【００３０】
具体的には、本実施の形態におけるタッチパネルは、図９に示されるように、各々のダイヤパターン列に接続される配線の幅が各々異なるように形成したものである。即ち、本実施の形態におけるタッチパネルは、複数のダイヤパターン１２１〜１２ｎからなるダイヤパターンにより第１の透明導電膜１０が形成されており、タッチパネルの一方の端部近傍には、ダイヤパターン１２１〜１２ｎに電圧を印加するためのフレキシブル基板（ＦＰＣ）４０が接続されており、フレキシブル基板４０における電極端子と複数のダイヤパターン１２１〜１２ｎとを各々接続するための配線５１１〜５１ｎが形成されている。尚、複数のダイヤパターン１２１〜１２ｎは、タッチパネルの一方の端部近傍から他方の端部近傍に向けて順に形成されており、ダイヤパターン１２１は、タッチパネルの一方の端部近傍に形成されており、ダイヤパターン１２ｎは、タッチパネルの他方の端部近傍に形成されている。
【００３１】
また、配線５１１〜５１ｎは、ダイヤパターン１２１〜１２ｎに対応して形成されており、例えば、配線５１１によりフレキシブル基板４０における電極端子とダイヤパターン１２１の一方の端部とが電気的に接続されており、配線５１ｎによりフレキシブル基板４０における電極端子とダイヤパターン１２ｎの他方の端部とが電気的に接続されている。尚、図９等は、本実施の形態におけるタッチパネルの概念を模式的に示すものであり、図９においては、ダイヤパターン１２１〜１２ｎの一方の側に接続される配線５１１〜５１ｎを示しており、他方の側に接続される配線は省略されているものとする。このことは、後述する図１０、図１１、図１３〜図１５においても同様である。
【００３２】
図９に示されるタッチパネルにおいては、通常、ダイヤパターン１２１〜１２ｎが、フレキシブル基板４０が接続されている一方の端部近傍から他方の端部近傍へと遠ざかるに従い、各々のダイヤパターン１２１〜１２ｎに接続される配線５１１〜５１における長さが長くなる。即ち、ダイヤパターン１２１に接続される配線５１１よりもダイヤパターン１２ｎに接続される配線５１ｎの長さが長くなる。
【００３３】
しかしながら、本実施の形態においては、配線５１１〜５１ｎの幅が順に広くなるように形成されているため、配線５１１〜５１ｎにおける長さが各々異なっていても、配線５１１〜５１ｎにおける各々の抵抗値を略同じにすることができる。これにより、各々のダイヤパターン１２１〜１２ｎに印加される電圧を略均一にすることができ、静電容量方式としての機能と抵抗膜方式としての機能の双方を兼ね備えたタッチパネルにおいて、精度の高い位置検出を行なうことができる。
【００３４】
より具体的に説明すると、本実施の形態においては、短い配線５１１から順に長い配線５１ｎまでの配線の幅を徐々に広くすることにより、配線５１１〜配線５１ｎにおける抵抗値を略一定にすることができ、各々のダイヤパターン１２１〜１２ｎに印加される電圧を略均一にすることができる。これにより、第１の透明導電膜１０におけるダイヤパターン１２１〜１２ｎの電位分布を均一にすることができ、精度の高い位置検出を行なうことができる。尚、配線５１１〜配線５１ｎは、銀ペースト等を用いてスクリーン印刷により形成することができる。
【００３５】
また、図１０に示されるように、本実施の形態におけるタッチパネルは、配線５２１〜配線５２ｎにおける配線の幅及び長さが略同じとなるように形成したものであってもよい。この場合、配線５２１〜配線５２ｎにおいて、配線の長さと幅は略均一であるため、配線５２１〜配線５２ｎにおける抵抗値を略均一にすることができる。尚、図１０においては、配線５２１〜配線５２ｎは、各々のダイヤパターン１２１〜１２ｎに対応して接続されている。
【００３６】
また、図１１及び図１２に示されるように、本実施の形態におけるタッチパネルは、配線５３１〜配線５３ｎにおける配線の略幅は同じであって、配線５３１〜配線５３ｎの厚さが一部厚くなるように形成したものであってもよい。具体的には、配線５３１〜配線５３ｎにおける抵抗値が略均一となるように、配線５３１〜配線５３ｎにおける厚さを一部厚く形成する。これにより、配線５３１〜配線５３ｎにおける抵抗値を略均一にすることができる。尚、図１２は、図１１における一点鎖線１１Ａ−１１Ｂにおいて切断した断面図である。また、図１１においては、配線５３１〜配線５３ｎは、各々のダイヤパターン１２１〜１２ｎに対応して接続されている。
【００３７】
上述したように、図９〜図１２に示される構造のタッチパネルは、ダイヤパターン１２１〜１２ｎに対応して設けられる配線の抵抗値を略均一にした構造のものであり、これらの構造については、一般化することができる。具体的には、図１３に示されるように、ダイヤパターン１２１に接続される配線５４１が、幅Ｄ０、長さＬ０で形成されており、任意のダイヤパターン１２ｋに接続される配線５４ｋが、幅Ｄ、長さＬで形成されている場合、Ｄ≒Ｄ０×Ｌ／Ｌ０となるように形成されている。更には、Ｄ＝Ｄ０×Ｌ／Ｌ０となるように形成されていることが好ましい。これにより、静電容量方式としての機能と抵抗膜方式としての機能を併せ持つタッチパネルにおいて、精度の高い位置検出を行なうことができる。尚、ｋは自然数であって、１＜ｋ＜ｎであるものとする。
【００３８】
また、図１４に示されるように、本実施の形態におけるタッチパネルは、各々のダイヤパターン１２１〜１２ｎの一方の端部における配線５５１〜配線５５ｎと接続される接触点５６１〜５６ｎの位置を変えたものであってもよい。即ち、ダイヤパターン１２１〜１２ｎを形成している透明導電膜は、比較的抵抗が高いため、ダイヤパターン１２１〜１２ｎの一方の端部における配線５５１〜配線５５ｎと接続される接触点５６１〜５６ｎの位置を変えることにより、各々のダイヤパターン１２１〜１２ｎにおける電位分布を略均一にすることができる。具体的には、ダイヤパターン１２１の一方の端部における配線５５１との接触点５６１の位置よりも、ダイヤパターン１２ｎの一方の端部における配線５５ｎとの接触点５６ｎの位置をダイヤパターン１２ｎの内側に設けることにより、ダイヤパターン１２１とダイヤパターン１２ｎとにおいて、電位分布を略均一にすることができる。このように、ダイヤパターン１２１〜１２ｎの一方の端部において、配線５５１〜配線５５ｎが接続される接触点５６１〜５６ｎの位置が、順にダイヤパターン１２１〜１２ｎの内部となるように形成することにより、各々のダイヤパターン１２１〜１２ｎにおける電位分布を略均一にすることができる。
【００３９】
次に、図１４に示される構造のタッチパネルを一般化した場合について、図１５に基づき説明する。具体的には、図１４に示されるタッチパネルは、接触点において接続されている配線の抵抗とダイヤパターンの抵抗との和に対する配線の抵抗の値が略一定となるように形成されている。即ち、図１５に示されるように、ダイヤパターン１２１の一方の端部における接触点５６１において接続される配線５５１の配線抵抗がｒ０であり、ダイヤパターン１２１の一方の端部における接触点５６１から他方の端部までのパターン抵抗がＲ０であって、ダイヤパターン１２ｋの一方の端部における接触点５６ｋにおいて接続される配線５５ｋの配線抵抗がｒであり、ダイヤパターン１２ｋの一方の端部における接触点５６ｋから他方の端部までのパターン抵抗がＲである場合、ｒ０／（Ｒ０＋ｒ０）≒ｒ／（Ｒ＋ｒ）となるように形成されている。更には、ｒ０／（Ｒ０＋ｒ０）＝ｒ／（Ｒ＋ｒ）となるように形成されていることが好ましい。これにより、静電容量方式としての機能と抵抗膜方式としての機能を併せ持つタッチパネルにおいて、精度の高い位置検出を行なうことができる。
【００４０】
尚、上記以外の内容については、第１の実施の形態と同様である。
【００４１】
〔第３の実施の形態〕
次に、第３の実施の形態について説明する。本実施の形態は、第１の透明導電膜１０におけるダイヤパターン列と配線との接触部分である接触部の形状に関するものである。図１６に示されるように、第１の透明導電膜１０におけるダイヤパターン１２ｋの端部において接触している配線９５７ｋには、ダイヤパターン１２ｋの端部に接触する接触部９５８ｋが形成されており、ダイヤパターン１２ｋ＋１の端部において接触している配線９５７ｋ＋１には、ダイヤパターン１２ｋ＋１の端部に接触する接触部９５８ｋ＋１が形成されている場合、接触部９５８ｋ及び接触部９５８ｋ＋１の形状が略直線的に形成されていると、ダイヤパターン１２ｋの端部における接触部９５８ｋの近傍には、電位の歪んだ領域９６０ｋが形成され、ダイヤパターン１２ｋ＋１の端部における接触部９５８ｋ＋１の近傍には、電位の歪んだ領域９６０ｋ＋１が形成される。この場合、電位の歪んだ領域９６０ｋ及び９６０ｋ＋１においては、電位が歪んでいるため、位置検出の精度が低下してしまう。
【００４２】
従って、本実施の形態におけるタッチパネルにおいては、図１７に示されるように、第１の透明導電膜１０におけるダイヤパターン１２ｋの端部において接触している配線５７ｋには、ダイヤパターン１２ｋの端部に接触する接触部５８ｋが形成されているが、接触部５８ｋの両端における端部５９ｋはダイヤパターン１２ｋの設けられている側に曲げられて形成されている。同様に、ダイヤパターン１２ｋ＋１の端部において接触している配線５７ｋ＋１には、ダイヤパターン１２ｋ＋１の端部に接触する接触部５８ｋ＋１が形成されているが、接触部５８ｋ＋１の両端における端部５９ｋ＋１は、ダイヤパターン１２ｋ＋１の設けられている側に曲げられて形成されている。
【００４３】
このような端部５９ｋを有する接触部５８ｋ及び端部５９ｋ＋１を有する接触部５８ｋ＋１を形成することにより、ダイヤパターン１２ｋにおける領域６０ｋ及びダイヤパターン１２ｋ＋１における領域６０ｋ＋１においては、電位分布の歪みを緩和することができ、接触位置の位置検出の精度を向上させることができる。
【００４４】
尚、上記以外の内容については、第２の実施の形態と同様である。
【００４５】
以上、本発明の実施に係る形態について説明したが、上記内容は、発明の内容を限定するものではない。
【符号の説明】
【００４６】
１０        第１の透明導電膜
１１        第１の基板
１２、１２１〜１２ｎ    ダイヤパターン
１２ａ      ダイヤ形状部
１２ｂ      ダイヤ形状部接続部
１３        導電膜除去領域
１４        高導電領域
２０        第２の透明導電膜
２１        第２の基板
４０        フレキシブル基板
５１１〜５１ｎ        配線
５２１〜５２ｎ        配線
５３１〜５３ｎ        配線
５４１、５４ｋ        配線
５５１〜５５ｎ        配線
５６１、５６ｋ        接触点
５７ｋ、５７ｋ＋１      配線
５８ｋ、５８ｋ＋１      接触部
５９ｋ、５９ｋ＋１      端部
６０ｋ、６０ｋ＋１      領域
【図１】
2013225266.tif 000003
【図２】
2013225266.tif 000004
【図３】
2013225266.tif 000005
【図４】
2013225266.tif 000006
【図５】
2013225266.tif 000007
【図６】
2013225266.tif 000008
【図７】
2013225266.tif 000009
【図８】
2013225266.tif 000010
【図９】
2013225266.tif 000011
【図１０】
2013225266.tif 000012
【図１１】
2013225266.tif 000013
【図１２】
2013225266.tif 000014
【図１３】
2013225266.tif 000015
【図１４】
2013225266.tif 000016
【図１５】
2013225266.tif 000017
【図１６】
2013225266.tif 000018
【図１７】
2013225266.tif 000019